(57)【特許請求の範囲】
【請求項１】
相互に並んで形成された複数の隔壁と、前記複数の隔壁の隣り合う隔壁間に形成されたアドレス電極と、前記アドレス電極の上部に塗布された蛍光体層より構成された画像表示部を有する背面基板と、
前記アドレス電極と交差するように形成された電極を備え、接着材により縁が前記背面基板と接着されることにより密封される前面基板と、
前記背面基板にフラッシングガスを注入及び排出するために形成された流入口及び排出口と、
前記複数の隔壁のうち最外端に位置する２つの隔壁と並んで隣接する流動通路を遮断して前記流入口を通じて流入されたフラッシングガスが前記画像表示部の前記隔壁間の通路に沿って流動して前記排出口を通じて排出されるようにする３つの遮断壁と、
前記画像表示部、前記流入口、排出口及び前記遮断壁を取り囲むガイド壁とを含み、
前記流入口と排出口は前記背面基板に対して相互対角線方向へ向かい合う位置に形成されるとともに、前記流入口が前記背面基板の左上又は右上に位置し、
前記遮断壁のうち一つは、前記流入口側の最外端の前記隔壁における、２つの端部のうちの、流入口側に位置する上端に直交する方向に、該上端とガイド壁とに接するよう配置され、前記遮断壁のうち一つは、前記流入口側の最外端の前記隔壁における、２つの端部のうちの、流入口側と反対側に位置する下端から延出しガイド壁と接するよう配置され、前記遮断壁のうち一つは、前記排出口側の最外端の前記隔壁における、２つの端部のうちの、排出口側と反対側に位置する上端から延出しガイド壁と接するよう配置されること
を特徴とするプラズマディスプレイ。
【発明の詳細な説明】
【０００１】
【発明の属する技術分野】
本発明はプラズマディスプレイに係り、特にディスプレイ製造時発生する不純物ガスをディスプレイ内に残留させずに全て排出させ得るようにその構造が改善されたプラズマディスプレイに関する。
【０００２】
【従来の技術】
液晶ディスプレイ、プラズマディスプレイ、電界放出素子等のような平板表示素子は軽くて薄板状であり、省エネルギに優れて従来のブラウン管を次第に代替している。
【０００３】
特にプラズマディスプレイは大型画面を具現できてその作用が次第に増える傾向である。前記プラズマディスプレイは一対の対向する基板間に放電空間の放電セルを形成して映像を示し、各放電セルは相互間のクロスト−クを防止する隔壁により分離されている。
【０００４】
従来の交流型プラズマディスプレイの一例を示した図１を参照すれば、背面基板20上にはアドレス電極11と隔壁13が並んで形成され、前記アドレス電極11の上部には蛍光体層12が塗布される。
【０００５】
前記隔壁13は放電距離を維持させて放電セル間の光学的クロスト−クを防止する。
【０００６】
前記隔壁13はディスペンサ−とニ−ドルを用いて隔壁13を成形させるスキ−ジング法により製造されることが一般であり、所定のパタ−ンを有するスクリ−ンを使用して反復的に隔壁材料を印刷して硬化する印刷法により製造されるかフォトリソグラフィ法等によりも形成できる。
【０００７】
前記背面基板20と並んで配置される前面基板10の下面に前記アドレス電極11と交差するように放電維持電極15aが形成され、この放電維持電極15aにはライン抵抗を減らすためのバス電極15bを備えられる。前記電極15a、15bは前面基板10の下面に形成される誘電体層17により覆われる。
【０００８】
前記背面基板20と前面基板10はその縁に塗布される接着材19例えば、フリットにより相互密封されるように結合される。
【０００９】
プラズマディスプレイの組み立てが済むと、前記プラズマディスプレイの内部には製造工程時発生された不純物及び不純物ガスが残留するが、これはディスプレイの放電を阻害して性能を劣化させる。従って、プラズマディスプレイの組み立てた後、図２に示されたように、フラッシングガスを流入口Hiを通じてディスプレイ内部へ注入した後排出口Hoを通じて強制的に排出させることにより内部不純物又はガスが共に排出されるようにする、所謂ガスフラッシング法を用いる。
【００１０】
この際、画像表示部の縁領域A、B、Cでは流動通路(太い矢印として表示される)が比較的広く、各隔壁13間の空間Dでは流動通路(細い矢印として表示される)が比較的狭いので、流入口Hiを通じてディスプレイの内部へ流入されたフラッシングガスの大部分は縁領域Ｂ→A、B→Cに沿って流動し、各隔壁13間の空間Dには比較的少ないフラッシングガスが流動するので、画像表示部に残留する不純物又はガスが十分に除去できない。結果的に実質的な画像領域内の若干の不純物またはガスは完全に除去されない。
【００１１】
【発明が解決しようとする課題】
本発明の目的は遮断壁を含むことによりディスプレイ製造過程で発生してその内部に残留する不純物及びガスが効果的に排出できるプラズマディスプレイを提供することにある。
【００１２】
【課題を解決するための手段】
前記目的を達成するために本発明によるプラズマディスプレイは、
相互に並んで形成された複数の隔壁と、前記複数の隔壁の隣り合う隔壁間に形成されたアドレス電極と、前記アドレス電極の上部に塗布された蛍光体層より構成された画像表示部を有する背面基板と、
前記アドレス電極と交差するように形成された電極を備え、接着材により縁が前記背面基板と接着されることにより密封される前面基板と、
前記背面基板にフラッシングガスを注入及び排出するために形成された流入口及び排出口と、
前記複数の隔壁のうち最外端に位置する少なくとも１つの隔壁と並んで隣接する流動通路を遮断して前記流入口を通じて流入されたフラッシングガスが前記画像表示部の前記隔壁間の通路に沿って流動して前記排出口を通じて排出されるようにする少なくとも一つの遮断壁とを含む。
【００１３】
又、前記プラズマディスプレイは、前記画像表示部、前記流入口、排出口及び前記遮断壁を取り囲むガイド壁をさらに含むことが望ましい。
【００１４】
又、望ましく、前記流入口と排出口は前記背面基板に対して相互対角線方向へ向かい合う位置に形成されるとともに、前記流入口が前記背面基板の左上又は右上に位置する。
前記遮断壁のうち一つは、前記流入口側の最外端の前記隔壁における、２つの端部のうちの、流入口側に位置する上端に直交する方向に、該上端とガイド壁とに接するよう配置され、前記遮断壁のうち一つは、前記流入口側の最外端の前記隔壁における、２つの端部のうちの、流入口側と反対側に位置する下端から延出しガイド壁と接するよう配置され、前記遮断壁のうち一つは、前記排出口側の最外端の前記隔壁における、２つの端部のうちの、排出口側と反対側に位置する上端から延出しガイド壁と接するよう配置される。
【００１５】
【発明の実施の形態】
以下、添付された図面を参照しながら本発明の望ましい一実施例によるプラズマディスプレイを詳細に説明する。
【００１６】
本発明の望ましい実施例によるプラズマディスプレイが示された図３及び図４を参照する。ここで先に示された図面でと同一な参照符号は同一な構成要素を示す。
【００１７】
示されたように、前面基板30と背面基板40はフリットのような接着材19により相互密封されるように封ずる。
【００１８】
本発明によると、前記接着材19が塗布される基板の縁から所定間隔離隔された内部にフラッシングガスの流動をガイドするガイド壁14dが形成される。前記ガイド壁14dはディスプレイの画像表示部を取り囲むように形成されている。又、フラッシングガスが流入及び排出される流入口Hiと排出口Hoは前記ガイド壁14d内に形成される。望ましく、前記流入口Hiと排出口Hoは図４に示されたように前記背面基板40に対して相互対角線方向へ向かい合う位置に形成される。
【００１９】
本発明の特徴によると、前記流入口Hiを通じてディスプレイの内部へ流入されたフラッシングガスが画像表示部の縁通路(図２のA、B、C参照)へ流入されないように前記縁通路を遮断する少なくとも一つの遮断壁14a、14b、14cが設けられる。図４に示された実施例を参照すれば、遮断壁14a、14cは、最外郭隔壁13と並んで隣接した縁通路を遮断して前記流入口Hiから流入されたフラッシンガスがその通路に沿って流動できないようにする。従って、流入されたフラッシングガスは隔壁13間の通路Dに沿って流動する。前記遮断壁14a、14b、14cは必要に応じて適切な位置に形成できる。
【００２０】
前記ガイド壁14dと遮断壁14a、14b、14cは隔壁13と同じ素材で形成されるのが望ましい。
【００２１】
本発明は添付された図面に示された一実施例を参考に説明されたが、これは例示的なことであり、当該分野で通常の知識を持つ者ならこれから多様な変形及び均等な実施例が可能であるという点が分かる。従って本発明の真正な保護範囲は請求範囲によりのみ決められるべきことである。
【００２２】
【発明の効果】
前記のような構造を有した本発明のプラズマディスプレイの組み立てが完了された後、前記流入口Hiを通じてフラッシングガスを注入すると、注入されたフラッシングガスは画像表示部の縁通路へ流れずに隔壁13間の通路へのみ流動されるので画像表示部に残留していた不純物やガスが効果的に除去できる。結局、これはディスプレイ動作の信頼性を高められるようにする。又、ガスの流れが円滑されるのでフラッシングガスの消耗量が少なくなって排気時間も短縮できる。
【図面の簡単な説明】
【図１】従来のプラズマディスプレイを概略的に示した分離斜視図である。
【図２】図１に示された背面基板と隔壁の構成を示した平面図である。
【図３】本発明によるプラズマディスプレイを概略的に示した分離斜視図である。
【図４】図３に示された背面基板と隔壁の構成を示した平面図である。
【符号の説明】
10、30  前面基板
11  アドレス電極
12  蛍光体層
13  隔壁
14a、14b、14c 遮断壁
14d ガイド壁
15a 放電維持電極
15b バス電極
17  誘電体層
19  接着材
20、40  背面基板
A、B、C 縁領域
D 空間
Hi  流入口
Ho  排出口
【図１】
0004115633.tif 000002
【図２】
0004115633.tif 000003
【図３】
0004115633.tif 000004
【図４】
0004115633.tif 000005